(57)【要約】【課題】流量センサが故障であると判定してもポンプ運転を停止することなく、安定して液体を供給することが出来るポンプを提供する。【解決手段】モータ部３が停止しているときに流量センサ６により検知された圧力が所定値以下のときにモータ部を運転する制御モードと、圧力検知手段５により検知された圧力が所定値以上でかつ、流量センサ６により検出された流量が所定値以下のときにモータ部を停止させる制御モードを備えているポンプであって、モータ部が停止状態で流量が無いにもかかわらず、流量センサ６よりＯＮ信号が出力された場合、該流量センサ６が故障であると判定し、圧力検出手段５により検出された圧力が所定値以上で前記流量センサ６からの出力信号に関係なく、前記ポンプ部を停止させる制御モードとしたことを特徴とする。【選択図】図１
2007239597.tif 000002
【特許請求の範囲】
【請求項１】
液体を吸排する羽根車を内蔵したポンプ部と、ポンプ部を駆動するモータ部と、モータ部を制御する制御部と、前記ポンプ部の圧力を検知する圧力検知手段と、流量があるとフラッパーが回動してＯＮ信号を出力する流量検出手段とを備え、前記制御部は、モータ部が停止しているときに圧力検知手段により検知された圧力が所定値以下のときにモータ部を運転する制御モードと、圧力検知手段により検知された圧力が所定値以上でかつ、流量検出手段により検出された流量が所定値以下のときにモータ部を停止させる制御モードを備えているポンプであって、
前記モータ部が停止状態で流量が無いにもかかわらず、前記流量検出手段よりＯＮ信号が出力された場合、該流量検出手段が故障であると判定し、前記圧力検出手段により検出された圧力が所定値以上で前記流量検出手段からの出力信号に関係なく、前記ポンプ部を停止させる制御モードとした
ことを特徴とするポンプ。
【請求項２】
請求項１に記載のポンプを備えた液体供給装置。
【発明の詳細な説明】
【技術分野】
【０００１】
本発明は、モータにより駆動され、液体を吸入して吐出するポンプおよび同ポンプを備えた液体供給装置に関する。
【背景技術】
【０００２】
ポンプにおいては、ベースに２台のポンプが設置され、これらポンプの吐出口内側にはそれぞれ流量があるとフラッパーが回動してＯＮ信号を出力し、流量が無くなるとフラッパーが鉛直方向に戻りＯＦＦ信号を出力するフラッパー式の流量センサが取り付けられている。そして、ポンプの吐出口は配管を介して集合に連結され、その集合部は配管を介して給水口に連結されると共に配管、バルブを介してアキュムレータに連結されている。配管には、吐出圧を検出する圧力センサが取り付けられている。そして、流量センサや圧力センサの信号を受けてポンプを制御する制御部が取り付けられており、この制御部には運転指令モードとして自動運転モード、手動モード、停止モードが選択可能になっているポンプが提案されている（例えば特許文献１参照）。
【０００３】
上記構成により、ポンプ制御部が停止モードと判断した場合に、流量センサから一定時間ＯＮ信号が出力されていれば流量センサが故障であると判定し、ポンプを停止させる制御モードとなっている。そして、流量センサの故障を警報する警報手段を作動させる制御モードとなっている。
【特許文献１】特開平５−３３２２５６号公報
【発明の開示】
【発明が解決しようとする課題】
【０００４】
しかしながら、上記従来の構成では、流量センサの故障判断は運転指令モードの停止モードで判断されるため、ポンプ運転を停止させなければならず、液体の供給が出来なくなる場合があった。
【０００５】
また、運転指令モードを自動運転モードに選択したままでは、流量センサが故障しているにもかかわらず、ポンプ運転を停止させることが出来ず、開閉弁が閉じたままでポンプ部が連続運転しポンプ部や吐出路の配管部の破壊につながることがあった。
【０００６】
そこで、本発明は、このような従来の課題を解決するものであり、流量センサが故障であると判定してもポンプ運転を停止することなく、安定して液体を供給することが出来るポンプを提供することを目的とする。
【課題を解決するための手段】
【０００７】
本発明は上記目的を達成するために、液体を吸排する羽根車を内蔵したポンプ部と、ポンプ部を駆動するモータ部と、モータ部を制御する制御部と、前記ポンプ部の圧力を検知する圧力検知手段と、流量があるとフラッパーが回動してＯＮ信号を出力する流量検出手段とを備え、前記制御部は、モータ部が停止しているときに圧力検知手段により検知された圧力が所定値以下のときにモータ部を運転する制御モードと、圧力検知手段により検知された圧力が所定値以上でかつ、流量検出手段により検出された流量が所定値以下のときにモータ部を停止させる制御モードを備えているポンプであって、モータ部が停止状態で流量が無いにもかかわらず、流量検出手段よりＯＮ信号が出力された場合、流量検出手段が故障であると判定し、圧力検出手段により検出された圧力が所定値以上で流量検出手段からの出力信号に関係なく、ポンプ部を停止させる制御モードとしたことを特徴としている。
【０００８】
この構成により、流量検出手段が故障しても流量検出手段の故障判定のためにモータ部の運転を停止させる必要も無くなる。つまり、従来技術では、流量センサーの故障はポンプ運転が停止モードでなければ流量センサーの不具合が判断できなかったが、本例では、流量センサーの不具合に関係なくポンプ運転（起動）を行うことができる。
【０００９】
また、この構成により、開閉弁が閉じているにもかかわらずモータ部が連続運転することを防止できるという作用が達成できる。
【発明の効果】
【００１０】
本発明は、流量検出手段が故障してもポンプ部からの液体の供給を止めることなく、またポンプ部や吐出路の破壊を防ぐことが出来るポンプを提供できるという効果を奏する。
【発明を実施するための最良の形態】
【００１１】
本発明の実施形態は、液体を吸排する羽根車を内蔵したポンプ部と、ポンプ部を駆動するモータ部と、モータ部を制御する制御部と、前記ポンプ部の圧力を検知する圧力検知手段と、流量があるとフラッパーが回動してＯＮ信号を出力する流量検出手段とを備え、前記制御部は、モータ部が停止しているときに圧力検知手段により検知された圧力が所定値以下のときにモータ部を運転する制御モードと、圧力検知手段により検知された圧力が所定値以上でかつ、流量検出手段により検出された流量が所定値以下のときにモータ部を停止させる制御モードを備えているポンプで、モータ部が停止状態で流量が無いにもかかわらず、流量検出手段よりＯＮ信号が出力された場合、流量検出手段が故障であると判定し、圧力検出手段により検出された圧力が所定値以上で流量検出手段からの出力信号に関係なく、モータ部を停止させる制御モードとしたものである。
【００１２】
なお、圧力検出手段により検出された圧力が所定値以上で流量検出手段からの出力信号に関係なく、モータ部を停止させる制御モードとする処理は、後述する実施例の図５に示すフローチャートのステップＳＴ９〜ステップＳＴ１２の処理に該当する。
【００１３】
これにより流量検出手段が故障してもポンプ運転を停止させる必要がないため、ポンプ部からの液体の供給を続けることが出来る。また、流量検出手段が故障し開閉弁が閉じているにもかかわらず、ポンプ部が連続運転することがないため、ポンプ部や吐出路の破壊を防げるポンプを提供できる。
【実施例】
【００１４】
以下、本発明を適用した具体的な実施例について図面を用いて説明する。
【００１５】
図１、２に示すように、回転時に発生する遠心力を利用して水にエネルギーを与える羽根車２を備えたポンプ部１があり、羽根車２を駆動するモータ部３がポンプ部１と一体的に取り付けてある。
【００１６】
モータ部３内には、羽根車２を駆動させるためのステータ４が配置されている。
【００１７】
前記ポンプ部１には、吸込路８と吐出路９が取り付けてある。吸込路８には、ポンプ部１内の水が吸い込み側に戻らないように逆止弁７が取り付けられている。吐出路９には、吐出路９の水量を検知する流量検出手段である流量センサ６が取り付けられている。
【００１８】
図３において、１３は流量センサ筐体である。この流量センサ筐体１３には、磁気を検知するリードスイッチ１６が取り付けられている。フラッパー１４の片側にはマグネット１５が取り付けられている。そして、ポンプ部１の吐出路９から流出される流量に応じて矢印方向に回動するフラッパー１４が取り付けられている。
【００１９】
流量があると、フラッパー１４がＡ位置からＢ位置まで回転し、流量センサ６からＯＮ信号が出力される。フラッパー１４がＡ位置では、流量センサ６からはＯＦＦ信号が出力される。また、吐出路９には、圧力を検知する圧力検知手段である圧力センサ５と、排出される水量を調整する開閉弁１１が取り付けられていて、流量センサ６と圧力センサ５の信号によりモータ部３を制御する制御部１０が配置されている。
【００２０】
前記制御部１０には、ポンプ部１と制御部１０を駆動するための電源１２が供給されている。
【００２１】
以上の構成において、本実施例１におけるポンプの動作を図１から図７を用いて説明する。
【００２２】
吸込路８からポンプ部１および吐出路９内には水が満たされた状態にあり、吸込路８に取り付けてある逆止弁７が閉じられ、吐出路９に取り付けてある開閉弁１１も閉じている。このときポンプ部１の内部にある貯留水にかかる吐出圧力Ｐｈは起動圧力Ｐｋよりも大きな圧力があり、モータ部３は停止している（ステップＳＴ１）。ここでは、吐出圧力Ｐｈとは、吐出路９から出てくる水の圧力をいうものとする。また、起動圧力Ｐｋとは、停止圧力Ｐｔの逆で、ポンプ部１が動き出す時の水圧をいうものとする。
【００２３】
また、吐出路９に取り付けてある開閉弁１１の開放などがない場合、モータ部３は停止している（ステップＳＴ２のＮＯの場合）。
【００２４】
次に、吐出路９に取り付けてある開閉弁１１が開放される（ステップＳＴ２のＹＥＳの場合）。
【００２５】
このとき開閉弁１１が僅かに開放された場合、吐出圧力Ｐｈが起動圧力Ｐｋ以上のとき、モータ部３は停止したままである（ステップＳＴ３のＮＯの場合）（ステップＳＴ１）。
【００２６】
しかし、吐出圧力Ｐｈが低下し、吐出圧力Ｐｈが起動圧力Ｐｋ以下になったとき、制御部１０は、流量センサ６からＯＮ信号が出力されているかを確認する（ステップＳＴ３のＹＥＳの場合）（ステップＳＴ４）。
【００２７】
このとき、流量センサ６から制御部１０へＯＦＦ信号が出力されていれば、制御部１０は、流量センサ６が正常と判断し流量センサ６の不良フラグをＯＦＦとし、モータ部３が運転を始める（ステップＳＴ４のＮＯの場合）（ステップＳＴ５）（ステップＳＴ７）。
【００２８】
一方、流量センサ６から制御部１０へＯＮ信号が出力されていれば、制御部１０は、流量センサ６が不良と判断し流量センサ６の不良フラグをＯＮとし、モータ部３が運転を始める（ステップＳＴ４のＹＥＳの場合）（ステップＳＴ６）（ステップＳＴ７）。なお、ポンプ部１を運転させる条件としては、吐出圧力Ｐｈ≦起動圧力Ｐｋのとき（ステップＳ３）のみとなる。
【００２９】
次に、吐出路９に取り付けてある開閉弁１１が閉じられる（ステップＳＴ８のＹＥＳの場合）。
【００３０】
このとき、開閉弁１１が開放状態の場合、モータ部３は運転したままである（ステップＳＴ８のＮＯの場合）（ステップＳＴ７）。
【００３１】
しかし、開閉弁１１が閉じられ吐出圧力Ｐｈが上昇し停止圧力Ｐｔ以上になったとき、制御部１０は、流量センサ６の不良フラグの状態を確認する（ステップＳＴ９のＹＥＳの場合）（ステップＳＴ１０）。ここでは、停止圧力Ｐｔとは、ポンプ部１が運転し開閉弁１１が閉じられるとポンプ部１の水圧が上昇し、ある一定以上になるとポンプ部１が停止し、そのポンプ部１が停止した時の水圧をいう。
【００３２】
このとき、流量センサ６の不良フラグがＯＦＦならば、制御部１０は現在の流量センサ６の出力信号を確認し、流量センサ６よりＯＦＦ信号が出力されていればモータ部３を停止する（ステップＳＴ１０のＹＥＳの場合）（ステップＳＴ１１）（ステップＳＴ１２）。
【００３３】
しかし、流量センサ６よりＯＮ信号が出力されていればモータ部３は運転を続ける（ステップＳＴ１１のＮＯの場合）（ステップＳＴ７）。
【００３４】
一方、流量センサ６の不良フラグがＯＮならば、制御部１０は、現在の流量センサ６の出力信号に関係なくモータ部３を停止させる（ステップＳＴ１０のＮＯの場合）（ステップＳＴ１２）。
【００３５】
一方、開放弁１１が僅かに閉じられているにもかかわらず、吐出圧力Ｐｈが停止圧力Ｐｔ以下のとき、モータ部３は運転したままである（ステップＳＴ９のＮＯの場合）（ステップＳＴ７）。
【００３６】
以上に示すポンプの動作を繰り返す（ステップＳＴ１からステップＳＴ１２）。
【００３７】
以上のように、本実施例によれば、流量センサ６が故障しても流量センサ６の故障判断のためにポンプ部１を停止させる必要もなく、また、開閉弁１１が閉じているにもかかわらずポンプ部１が連続運転することを防ぐのに有効な手段である。流量センサ６が故障してもポンプ部１から水の供給を止めることなく、また、ポンプ部１や吐出路９の破壊を防ぐことができるポンプを提供することができる。
【００３８】
また、吐出圧力Ｐｈは０ｋＰａから４００ｋＰａであれば良く、起動圧力Ｐｋは８０ｋＰａから２５０ｋＰａで、好ましくは１４０ｋＰａであれば良く、停止圧力Ｐｓは２４０ｋＰａから３６０ｋＰａで、好ましくは３００ｋＰａであれば良い。
【００３９】
そして、流量センサＯＮ流量Ｑｏｎは１Ｌ／ｍｉｎから５Ｌ／ｍｉｎで、好ましくは３Ｌ／ｍｉｎであればよい。
【産業上の利用可能性】
【００４０】
本発明の制御方法は、モータにより駆動され、液体を吸入して吐出するポンプおよび同ポンプを備えた液体供給装置の制御方法として利用することが可能である。
【図面の簡単な説明】
【００４１】
【図１】本発明を適用した実施例のポンプの全体概要図である。
【図２】本発明を適用した実施例のポンプにおける制御回路を示すブロック図である。
【図３】本発明を適用した実施例の流量センサの要部拡大断面図である。
【図４】本発明を適用した実施例のポンプにおける制御方法を示すフローチャートである。
【図５】本発明を適用した実施例のポンプにおける制御方法を示すフローチャートである。
【図６】流量センサ正常動作時のポンプにおける制御方法を示し、排出される水量Ｑの波形図と吐出圧力Ｐｈの波形図と流量センサ動作状態およびモータ運転状態の波形図を示す。
【図７】流量センサ異常動作時のポンプにおける制御方法を示し、排出される水量Ｑの波形図と吐出圧力Ｐｈの波形図と流量センサ動作状態およびモータ運転状態の波形図を示す。
【符号の説明】
【００４２】
１    ポンプ部
２    羽根車
３    モータ部
４    ステータ
５    圧力センサ
６    流量センサ
７    逆止弁
８    吸込路
９    吐出路
１０    制御部
１１    開閉弁
１２    電源
１３    流量センサ筐体
１４    フラッパー
１５    マグネット
１６    リードスイッチ
【図１】
2007239597.tif 000003
【図２】
2007239597.tif 000004
【図３】
2007239597.tif 000005
【図４】
2007239597.tif 000006
【図５】
2007239597.tif 000007
【図６】
2007239597.tif 000008
【図７】
2007239597.tif 000009